(57)【特許請求の範囲】
【請求項１】
プリンタに取付けられるリボンガイドであって、
（ａ）印字ヘッドの先端面を下方に対して、開放・遮蔽可能なようにキャリッジまたは印字ヘッドに取付けられる本体を有し、
（ｂ）前記本体は 、ほぼ中央に前記印字ヘッドの先端面が挿入可能で使用されるインクリボンの幅よりも大きい幅を有する開口部を有し、
（ｃ）前記本体の上面側に開口部のインクリボン走行方向における両側にインクリボンガイド部材が設けてあり、前記本体の下面に、前記開口部のインクリボン走行方向に直交する方向の一側に通帳の印字面に押圧される通帳ガイド部材が設けてあり、
（ｄ）前記通帳ガイド部材の下面に、その通帳ガイド部材の幅よりも大きい幅を有する薄肉帯状部材で形成されたマスクが、前記本体が前記印字ヘッドの先端面を遮蔽する状態において、前記開口部の印字ヘッドの先端面と前記通帳ガイド部材の間の部分を遮蔽するように設けてあり、
（ｅ）前記本体が前記印字ヘッドの先端面を遮蔽する状態において、前記印字ヘッドの先端面の下側を走行する前記インクリボンの、前記印字ヘッドの先端面に対向しない部分が、前記マスクにより通帳の印字面に対して隠蔽されることを特徴とするリボンガイド。
【請求項２】
請求項１に記載のリボンガイドにおいて、
前記通帳ガイド部材および前記マスクは、いずれも曲率が等しいアーチ形に形成されていることを特徴とするリボンガイド。
【請求項３】
請求項１に記載のリボンガイドにおいて、
前記リボンガイドは、キャリッジまたは印字ヘッドに対して着脱可能に取付けられていることを特徴とするリボンガイド。
【請求項４】
請求項３に記載のリボンガイドにおいて、
前記嵌合係止部材には、その嵌合係止部材を印字ヘッドに設けられている嵌合孔に嵌合したときに係止される方向に付勢させる付勢手段が備えられていることを特徴とするリボンガイド。
【請求項５】
請求項４に記載のリボンガイドにおいて、
前記リボンガイドをキャリッジまたは印字ヘッドに対して着脱可能に取付けるための取付部は、本体の少なくとも左右２か所に設けられていることを特徴とするリボンガイド。
【請求項６】
請求項１から５のいずれか１項に記載のリボンガイドにおいて、
前記インクリボンガイド部材は、回転自在に備えられたローラであり、そのローラの軸方向両端に前記インクリボンの幅とほぼ等しい間隔をおいてフランジが備えられていることを特徴とするリボンガイド。
【請求項７】
印字ヘッドに着脱可能に取付けられたリボンガイドを有するプリンタにおいて、前記印字ヘッドは、閉じられた前記リボンガイドの開口部に進入して前記リボンガイドのマスクの最下点と共通の平面に下端面を有する通帳ガイドを備えていることを特徴とするプリンタ。
【請求項８】
請求項７に記載のプリンタにおいて、
前記通帳ガイドは、回転可能な円板であることを特徴とするプリンタ。
【発明の詳細な説明】
【技術分野】
【０００１】
本発明は、プリンタにおけるインクリボンガイドおよびプリンタに関する。
【背景技術】
【０００２】
金融機関で通帳に記帳するために使用されるプリンタにおいては、挿入口から挿入される通帳を搬送ローラにより印字部まで搬送し、印字部により通帳の所定位置に印字して記帳する。印字部は、通帳の搬送方向と直交する方向に延びるガイドロッドと、そのガイドロッドに軸方向に往復移動するキャリッジと、そのキャリッジに取付けられた印字ヘッドと、搬送路を挟んで印字ヘッドに対向する位置に設けられたプラテンと、印字ヘッドの先端面(ヘッドピンが出没する面)に沿って走行するインクリボンを収容しているリボンカセットとを有し、さらに、インクリボンを印字ヘッドの先端面に沿って走行するようにガイドするインクリボンガイド（以下、リボンガイドという。）を有する。
【０００３】
プリンタで用いられる長尺タイプのインクリボンは、印字ヘッドの移動範囲（走査方向のストローク）よりも若干長いリボンカセット内に収容され、そのインクリボンの一部がリボンカセットの外側に直線状に延在している。リボンカセットは、インクリボンの直線状に延在する部分が印字ヘッドの先端面の下側（通帳に対向する側）に位置するようにプリンタに装着される。そして、リボンガイドは、常に、移動する印字ヘッドの先端面の下側にインクリボンが存在するようにガイドする。
【０００４】
リボンガイドには、リボンカセットに取付けられる第１のタイプと、印字ヘッドまたはキャリッジに取付けられる第２のタイプの２種類がある。
【０００５】
第１のタイプのリボンガイドは、図１１−図１４に示されるようなものである。すなわち、リボンカセット101の外側に直線状に延在されているインクリボン102にリボンガイド103が装着されている。リボンガイド103は、図１１の楕円部分を図１２に拡大して示すように、硬質合成樹脂により一体成形され、上面(印字ヘッドに対向する面)の左右両側に、印字ヘッドの左右両側に設けられている係合凸部（図示省略）に係合する係合凹部103aを有し、上面の後側中央に起立する板状の安定部103bと係合凹部103aの間に、左右方向に連通するリボンガイド溝103cが形成されている。リボンガイド溝103cの上側には、リボンガイド溝103cの左右両端と、その中間に、リボンガイド溝103cに挿通されたインクリボン102の抜脱を防止する複数の支持部材103dが設けられている。
【０００６】
リボンガイド溝103cの下側には、リボンガイド103の底面側（印字ヘッドと反対側、すなわち、通帳に対向する側）に山形に突出するマスク部材103eが設けられている。このマスク部材103eはステンレススチールなどの耐摩耗性の極薄金属板で短冊状に作られ、山の頂上に相当する中央部（使用時の最下端部）にほぼ菱形の孔103fが設けられている。
【０００７】
上記リボンガイド103は、図１２に示すように、リボンカセット101の中に収容されたインクリボン102の両端を接合する前に、そのインクリボン102の一端を所定の向きに保持されたリボンガイド103のリボンガイド溝103cに挿通した後、そのインクリボン102の一端を他端に接合してエンドレス状に形成し、リボンカセット101の蓋101aを密封することにより、リボンカセット101に装着される。
【０００８】
そして、そのリボンカセット101をプリンタの印字部に装着し、かつ、リボンガイド103の安定部103bをキャリッジまたは印字ヘッドに当接し、かつ、係合凹部103aをキャリッジまたは印字ヘッドの係合凸部（不図示）に係合して固定すると、マスク部材103eの菱形の孔103fが印字ヘッドの先端面と位置的に合致するようになっている。
【０００９】
第２のタイプのリボンガイドは、特許文献１に開示されているようなものである。このリボンガイドは、インクリボンをガイドするリボンガイド溝を有する第１部材と、第１部材に取付けられてリボンガイド溝の一部を覆う第２部材とからなる。第２部材は、通帳の搬送方向と直交する方向における印字ヘッドの両側において印字ヘッドの前方に突出して通帳に当接する通帳ガイド面および嵌合突起を有し、第１部材は、通帳の搬送方向における印字ヘッドの両側において第２部材の通帳ガイド面と同じ位置まで前方に突出して通帳に当接する通帳ガイド面およびリボンガイド溝の底面より前方に形成された嵌合孔を備えている。そして、第２部材は、嵌合突起を嵌合孔に嵌合することにより、リボンガイド溝内を走行するインクリボンよりも前方に位置するように第１部材に取付けられる。
【先行技術文献】
【特許文献】
【００１０】
【特許文献１】特許第４０５０６６５号公報
【発明の概要】
【発明が解決しようとする課題】
【００１１】
上記第１のタイプのリボンガイド103は、リボンカセット101に分離不能に取付けられる。したがって、リボンカセット101のインクリボン102が消耗したときは、リボンカセット101とともにリボンガイド103も廃棄される。そのため、プリンタの運用コストが嵩むという問題があった。
【００１２】
また、図１１−１４のインクリボン102は、印字ヘッドのヘッドピン列の長さとほぼ等しい、幅小のものであるが、近年は、印字ヘッドのヘッドピン列の長さのほぼ２倍の幅を有する幅広のインクリボンが使用されるようになった。そして、インクリボンの一方向の走行時は、インクリボンの幅の半分を印字に使用し、所定の使用期間の経過後は、リボンカセットをプリンタから一旦取り外し、表裏反転してプリンタに再装着し、インクリボンの同一方向の走行時に、インクリボンの幅の他の半分を印字に使用するようにしている。また、メビウス機構を採用したインクリボンも幅広となるため、その幅の半分を印字に使用する点は同じである。
【００１３】
しかし、図１１−１４の第１タイプのリボンガイド103は、幅広のインクリボンを収容して表裏反転して使用するリボンカセットに対応することができない。
【００１４】
他方、上記第２のタイプのリボンガイドは、キャリッジまたは印字ヘッドに着脱可能に取付けられるので、幅広のインクリボンを収容したリボンカセットに対応することができる。しかし、上記第２タイプのリボンガイドは、第１、第２の二つの部材からなり、第１部材はキャリッジまたは印字ヘッドに着脱可能に取付けられ、第２部材は、第１部材に対して嵌合突起と嵌合孔の嵌合により着脱可能に組み合わされるものである。そのため、リボンガイドの製造には２種類の金型が必要であるので、製造に時間と手間がかかり、製造コストが高くつく。また、リボンガイドのキャリッジまたは印字ヘッドへの取付にも、多くの手間がかかる。さらに、インクリボンが幅広になったことにより、印字時にインクリボンの幅の半分であって、印字ヘッドの先端面に対向していない部分が通帳の印字面に接触して通帳を汚す可能性が増えるが、その対策が考えられていない。
【００１５】
本発明は、上記の事情に鑑みてなされたものであり、キャリッジまたは印字ヘッドに取付けられるタイプのリボンガイドであって、製造コストの低減が可能で、キャリッジまたは印字ヘッドに対する着脱を容易に行うことができ、幅広インクリボンの使用に対して適応性を有するとともに、通帳汚染の防止が可能なリボンガイドを提供することを目的とする。あわせて、そのようなリボンガイドの取付を容易にしたプリンタを提供することを目的とする。
【課題を解決するための手段】
【００１６】
本発明は、上記目的を達成するため、プリンタに取付けられるリボンガイドであって、（ａ）印字ヘッドの先端面を下方に対して、開放・遮蔽可能なようにキャリッジまたは印字ヘッドに取付けられる本体を有し、（ｂ）本体は 、ほぼ中央に印字ヘッドの先端面が挿入可能で使用されるインクリボンの幅よりも大きい幅を有する開口部を有し、（ｃ）本体の上面側に開口部のインクリボン走行方向における両側にインクリボンガイド部材が設けてあり、本体の下面に、開口部のインクリボン走行方向に直交する方向の一側に通帳の印字面に押圧される通帳ガイド部材が設けてあり、（ｄ）通帳ガイド部材の下面に、その通帳ガイド部材の幅よりも大きい幅を有する薄肉帯状部材で形成されたマスクが、本体が印字ヘッドの先端面を遮蔽する状態において、開口部の印字ヘッドの先端面と通帳ガイド部材の間の部分を遮蔽するように設けてあり、（ｅ）本体が印字ヘッドの先端面を遮蔽する状態において、印字ヘッドの先端面の下側を走行するインクリボンの、印字ヘッドの先端面に対向しない部分が、マスクにより通帳の印字面に対して隠蔽されることを特徴とする。
【００１７】
通帳ガイド部材およびマスクは、いずれも曲率が等しいアーチ形に形成されていることが望ましい。
【００１８】
リボンガイドは、キャリッジまたは印字ヘッドに対して着脱可能に取付けられていることが好ましい。
【００１９】
リボンガイドを、印字ヘッドの先端面を下方に対して開放・遮蔽可能なように、かつ、キャリッジまたは印字ヘッドに対して着脱可能に取付けるための取付部は、リボンガイド部材の本体の上面の後側または前側に設けられた、キャリッジまたは印字ヘッドに設けられている軸に着脱可能に嵌合する嵌合凹部部材と、本体の上面の前側または後側に設けられた、キャリッジまたは印字ヘッドに設けられている嵌合孔に嵌合して係止される嵌合係止部材とで構成することができる。
【００２０】
前記嵌合係止部材には、その嵌合係止部材を印字ヘッドに設けられている嵌合孔に嵌合したときに係止される方向に付勢させる付勢手段が備えられていることが好ましい。
【００２１】
リボンガイドをキャリッジまたは印字ヘッドに対して着脱可能に取付けるための取付部は、本体の少なくとも左右２か所に設けられていることが好ましい。
【００２２】
インクリボンガイド部材は、回転自在に備えられたローラであり、そのローラの軸方向両端にインクリボンの幅とほぼ等しい間隔をおいてフランジを有することが好ましい。
【００２３】
本発明に係るプリンタは、印字ヘッドに着脱可能に取付けられたリボンガイドを有するプリンタにおいて、前記印字ヘッドは、閉じられた前記リボンガイドの開口部に進入して前記リボンガイドのマスクの最下点と共通の平面に下端面を有する通帳ガイドを備えていることを特徴とする。
【００２４】
また、その通帳ガイドは、回転可能な円板であることが好ましい。
【発明の効果】
【００２５】
本発明によれば、リボンガイドは、キャリッジまたは印字ヘッドに、印字ヘッドの先端面を下方に対して開放・遮蔽可能に取付けられるので、リボンガイドを装着したままリボンカセットの交換が可能である。すなわち、インクリボンが消耗するたびにリボンガイドも廃棄する必要がないので、プリンタの運用コストの節減が可能である。また、リボンカセットの表裏反転を容易に行うことができる。すなわち、幅広インクリボンの使用に対して適応性を有する。マスクは、薄肉帯状部材で形成され、開口部の一部を遮蔽するように設けてあるので、マスクは印字ヘッド先端と通帳の印字面との間に所定の間隙（ギャップ）を確保することができるとともに、印字ヘッドの先端面を通帳の印字面に対して弾力的にガイドすることができる。さらに、幅広インクリボンに対して適応性を有し、インクリボンによる通帳汚染を防止することが可能である。メビウス機構を採用したインクリボンも幅広となるため、その幅の半分を印字に使用する点は同じである。
【００２６】
また、本発明によれば、リボンガイドを容易に着脱することができ、かつ、リボンカセットのみの交換を容易に行うことができるプリンタを提供することができる。
【００２７】
そして、印字ヘッドが、閉じられたリボンガイドの開口部に進入してリボンガイドのマスクの最下点と共通の平面に下端面を有する通帳ガイドを備えているので、印字ヘッドの先端面と通帳の印字面との間に安定したギャップが確保されるため、印字品質が向上する。
【図面の簡単な説明】
【００２８】
【図１】本発明の一実施の形態を示すプリンタの印字部の斜視図である。
【図２】図１の印字部に取付けたリボンガイドの閉状態を示す斜視図である。
【図３】図２のリボンガイドの開状態を示す斜視図である。
【図４】図２のリボンガイドを取り出して上面を見た斜視図である。
【図５】図４のリボンガイドの底面を見た斜視図である。
【図６】図４のリボンガイドの展開図である。
【図７】図１のキャリッジと印字ヘッドにリボンガイドを取付けた状態における展開図である。
【図８】図２のリボンガイドにインクリボンが挿通されている状態を示す底面図である。
【図９】図８のＸ−Ｘ線断面図である。
【図１０】図９の部分拡大図であり、印字ヘッドの先端面と通帳の印字面との間のギャップ、通帳ガイド部材の厚み、マスクの厚み、インクリボンの厚みの関係を示す。
【図１１】従来のリボンガイドを使用状態において示す斜視図である。
【図１２】図１１の楕円部分の拡大図である。
【図１３】図１１のリボンガイドのみの上面側の斜視図である。
【図１４】図１３のリボンガイドの底面側の斜視図である。
【発明を実施するための形態】
【００２９】
続いて、本発明の実施の形態について図面を参照しながら説明する。説明中、左右とは図１〜５のｘ１,ｘ２方向を、前後とは図１〜５のｙ１,ｙ２方向を、上下とは図１〜５のｚ１,ｚ２方向を意味する。
【００３０】
図１は、プリンタの印字部Ｐのみを示す斜視図であり、プラテンは省略してある。印字部Ｐは、上面板1と、その上面板１の左右両端部から垂下する側面板２,３とからなるフレーム４を有する。側面板２,３の前部の下側部分の間に水平に架け渡されたガイドロッド５に、キャリッジ６がガイドロッド５の軸方向に移動可能に支持されている。そのキャリッジ６に側面板２,３の対向面に取付けられたプーリ７の間に架け渡された駆動ベルト８が結合されている。駆動ベルト８は、図示されていない逆転可能なステッピングモータによりガイドロッド５の軸方向に所定の範囲で往復移動される。キャリッジ６に印字ヘッド９が取り付けられている。
【００３１】
図２に示すように、フレーム４の前部、すなわち、側面板２,３の前端部の間に、リボンカセット１０が一例としてスナップ方式で着脱可能に保持されている。リボンカセット１０は、カセット本体１０ａの中にインクリボン１１を収容している。そのインクリボン１１はカセット本体１０ａの左右両側に設けられた下方延長部１０ｂ,１０ｃの中を通り、下方延長部１０ｂ,１０ｃの先端の間で外部に露出され、水平状態に伸長している。その水平状態に伸長している部分の一部は、印字ヘッド９の先端面(ヘッドピンの出没面)９ａに対応する位置に存在する。
【００３２】
印字ヘッド９の下部には、本発明に係るリボンガイド１２が取り付けられている。このリボンガイド１２は、図４〜図６に一実施の形態を示すように、合成樹脂で一体に成形された本体１３を有する。本体１３は、平板部１３ａと、その平板部１３ａの周辺に強度確保のため形成された立ち上がり縁１３ｂとを有する。本体１３は、平板部１３ａのほぼ中央の印字ヘッド９の先端面９ａに対応する位置に開口部１４を有する。開口部１４の面積は、印字ヘッド９の先端面９ａおよび後述される印字ヘッド９に設けてある通帳ガイド部材２３が開口部１４に進入可能なように、印字ヘッド９の先端面９ａの面積より広めに設定されている。
【００３３】
また、本体１３の上面側の、開口部１４の左右両側にリボンガイド部材１５が設けてある。リボンガイド部材１５は、単なる円棒でもよいし、ガイド溝で形成されてもよいが、好ましい実施の形態においては、回転自在に備えられたローラ１５ａで構成されている。そのローラ１５ａの軸方向両端にインクリボン１１の幅とほぼ等しい間隔をおいてフランジ１５ｂが備えられている。このような構成とすることにより、走行されるインクリボン１１に対する案内性が向上し、横振れが防止される。
【００３４】
リボンガイド１２は、印字ヘッド９の先端面９ａを下方に対して開放・遮蔽可能に取付けられている。リボンガイド１２は、着脱可能に取付けられることが好ましい。リボンガイド１２を、印字ヘッド９の先端面９ａを開閉可能に、かつ、着脱可能に取付けるための取付手段は、開閉および着脱作用の安定性を高めるため、本体１３の少なくとも左右２か所に設けられることが好ましい。
【００３５】
この観点から、図示された実施の形態においては、リボンガイド１２を、印字ヘッド９の先端面９ａの開閉およびリボンガイド１２の着脱を可能に取付けるための取付手段は、本体１３の上面の後側（または前側）に設けられた、キャリッジ６の左右両側に設けられている軸６１に着脱可能に嵌合する嵌合凹部部材１６と、本体１３の上面の前側（または後側）に設けられた、キャリッジ６または印字ヘッド９に設けられている嵌合孔（不図示）に嵌合して係止される嵌合係止部材１７とで構成されている。
【００３６】
嵌合係止部材１７をキャリッジ６または印字ヘッド９に設けられている嵌合孔に嵌合して係止させるには、嵌合係止部材１７を嵌合孔に嵌合した後、嵌合係止部材１７をドライバーなどの工具を用いて所定方向に回すようにしてもよい。しかし、嵌合係止部材１７に、嵌合係止部材１７を印字ヘッド９に設けられている嵌合孔に嵌合した時に、係止される方向に付勢するコイルばねなどの付勢手段を備えれば、工具を用いずにリボンガイド１２を閉状態に維持することができる（図２参照）。
【００３７】
その場合、本体１３の前部に手掛け部１８が設けてあれば、嵌合凹部部材１６をキャリッジ６の左右両側の軸６１に嵌合した後、手掛け部１８に上向きの力を加えて、図２に示すように嵌合係止部材１７を印字ヘッド９の嵌合孔に嵌合し、かつ係止させることができる。また、図２の閉状態のリボンガイド１２の手掛け部１８を押し下げれば、図３に示すように、リボンガイド１２を容易に開けることができる。
【００３８】
さらに、リボンガイド１２の本体１３の下面には、図９,１０に詳細に示されているように、印字ヘッド９の先端面９ａが閉められたリボンガイド１２の開口部１４の中に挿入された時に、その先端面９ａと開口部１４の一側との間の、インクリボン１１の幅の半分に相当する部分を遮蔽するマスク１９が設けられている。すなわち、インクリボン１１は、印字ヘッド９の先端面９ａとマスク１９の上面との間を走行され、インクリボンの幅の一方の半分は印字ヘッド９の先端面９ａに対向し、他方の半分はマスク１９の上面に対向する。
【００３９】
図１０に例示するように、印字ヘッド９の先端面９ａと通帳Ｎの印字面との間のギャップｇは、通常０．３５〜０．４ｍｍ程度に設定されている。そして、使用されるインクリボン１１の平均的厚さt１は０．１ｍｍであるので、マスク１９の最大肉厚t２は０．1〜０．３ｍｍに制限される。このマスク１９は、金属またはプラスチック製帯状シート部材で形成されている。なお、この寸法の最適値はプリンタの仕様により異なる。
【００４０】
また、マスク１９は、上昇されるプラテンにより通帳Ｎの印字面に押圧され、その印字面を摺動する。そのため、摺動摩擦を少なくするため、マスク１９は、下面が凸面となるようにアーチ状に形成されて、通帳がプラテン（図示省略）により上昇された時、その通帳の印字面がマスク１９の印字ヘッド移動方向中央部分の下面に当接するように設計されている。その場合、マスク１９は上記程度の薄肉であるので、上昇される通帳Ｎに押圧されるときに撓みやすい。したがって、マスク１９は、それ自体では、ギャップｇを保持する通帳ガイド部材にはなり得ない。
【００４１】
そこで、一つの実施形態として、印字ヘッド９には、図９,１０に例示するように、支持部材２２の下端部にローラ状の通帳ガイド２３が回転可能に取付けられ、その通帳ガイド部材２３の下端面と印字ヘッド９の先端面９ａとの間の垂直距離を所定のギャップｇと等しくしてある。なお、通帳ガイド２３は、ローラ状のものに限定されない。
【００４２】
好ましい実施の形態においては、図９に例示するように、マスク１９のリボンガイド１２に対する取付けを容易にし、かつ、上昇される通帳Ｎによるマスク１９の撓みを抑制するため、リボンガイド１２の本体１３の下面に、開口部１４の後側（または前側）に、本体１３と一体に成形された細い通帳ガイド部材２０が形成され、その通帳ガイド部材２０の下面に通帳ガイド部材２０よりも幅広のマスク１９が開口部１４の一部を遮蔽するように支持されている。本体１３と一体に成形される通帳ガイド部材２０の肉厚は、最小可能厚さ０．８ｍｍ以上である。こうして、通帳ガイド部材２０があることにより、プラテン上昇時に通帳からマスク１９に圧力が加わっても、また、通帳がカールしている場合などにも、マスク１９の撓みなどの変形が防止されるので、印字ヘッド９の先端面９ａと通帳Ｎとの間に所定のギャップの確保が可能である。したがって、印字品質の低下が避けられる。
【００４３】
通帳ガイド部材２０を設けた場合は、通帳ガイド２３を備えないこともできるし、通帳ガイド部材２０と通帳ガイド２３の両方を備えることもできる。
【００４４】
上記の実施の形態においては、リボンガイド１２はキャリッジ６に取付けられたが、リボンガイド１２は印字ヘッド９に取付けることもできる。
【００４５】
上記のように、本発明の実施の形態においては、リボンガイド１２は印字ヘッド９の先端面９ａを開閉できるようにキャリッジ６または印字ヘッド９に取付けられるので、リボンカセット１０のインクリボン１１が消耗された時は、リボンガイド１２はそのまま用い、リボンカセット１０のみを交換すればよい。したがって、プリンタの運用コストの低減が可能である。また、リボンガイド１２はキャリッジ６または印字ヘッド９に着脱可能に取付けられるので、たとえば、幅の異なるインクリボンを使用する場合には、そのインクリボンの幅に対応するリボンガイドに容易に交換することができる。
【００４６】
さらに、従来の菱形の孔を有するマスクの場合は、走行するインクリボンがその孔の鋭角な隅角に接触して、インクリボンが早期に劣化したり、マスクが摩耗され破断されることがあったが、本発明に係るリボンガイド１２は孔の無い帯状のマスク１９を用い、また、印字ヘッド９の先端面９ａに対向する位置には、マスク１９が存在しないので、インクリボンのマスクによる劣化や、マスク１９がインクリボン１１により摩耗されて破断することはなくなった。
【００４７】
そして、通帳ガイド部材２０をリボンガイド１２に一体成形し、その通帳ガイド部材２０に極薄マスク１９を貼り付け、または溶着などにより備えたので、極薄マスク１９をリボンガイド１２に一体的に、かつ、十分な弾性と柔軟性をもって取付けることが可能になる。また、強度的な規格に余裕がある場合は、通帳ガイド部材２０とマスク１９を同一材料で一体に形成しても良い。
【００４８】
上記リボンガイド１２を用いる場合は、リボンガイド１２を図１の印字ヘッド９の下側に接近し、図３に示すように、リボンガイド１２の嵌合凹部部材１６をキャリッジ６の左右両側の軸６１に嵌合して垂下させ、印字ヘッド９の下端面を下方に開放された状態に保持する。次に、リボンカセット１０をフレーム４に装着し、カセット本体１０ａ内に設けてあるインクリボン送りローラ(不図示)の軸の先端に形成されている雌型カプラ(不図示)を、印字部Ｐに突設されている雄型カプラ２１に雌雄嵌合する。続いて、リボンカセット１０の外部に露出されているインクリボン１１をリボンガイド１２の上面の左右のリボンガイド部材１５に載せる。最後に、手掛け部１８に上向きの力を加えて、図２に示すように、嵌合係止部材１７を印字ヘッド９またはキャリッジ６の嵌合孔に嵌合して係止させる。
【００４９】
印字ヘッド９に取付けられている通帳ガイド２３は、リボンガイド１２がキャリッジ６に取付けられたときに開口部１４を通り、通帳ガイド２３の先端は、リボンガイド１２が閉じられた状態において、マスク１９の最下点と共通の水平面上に存在する。したがって、印字ヘッド９が印字のために移動するときは、通帳ガイド２３の先端とマスク１９の最下点とが印字ヘッド９の先端面９ａの両側において通帳の印字面に等圧で当接するので、印字ヘッドの先端面と通帳の印字面との間に安定したギャップが確保される。したがって、印字品質が向上する。
【００５０】
以上には、通帳を印字媒体の代表として説明したが、印字媒体は通帳に限られるものではなく、枚葉紙、長尺紙などであってもよい。
【符号の説明】
【００５１】
Ｐ      印字部
４      フレーム
５      ガイドロッド
６      キャリッジ
９      印字ヘッド
１０    リボンカセット
１１    インクリボン
１２    リボンガイド
１３    本体
１４    開口部
１５    リボンガイド部材
１６    嵌合凹部部材
１７    嵌合係止部材
１９    マスク
２０    リボンガイドに設けられた通帳ガイド部材
２３    印字ヘッドに設けられた通帳ガイド
【図１】
0006581850.tif 000002
【図２】
0006581850.tif 000003
【図３】
0006581850.tif 000004
【図４】
0006581850.tif 000005
【図５】
0006581850.tif 000006
【図６】
0006581850.tif 000007
【図７】
0006581850.tif 000008
【図８】
0006581850.tif 000009
【図９】
0006581850.tif 000010
【図１０】
0006581850.tif 000011
【図１１】
0006581850.tif 000012
【図１２】
0006581850.tif 000013
【図１３】
0006581850.tif 000014
【図１４】
0006581850.tif 000015